(57)【特許請求の範囲】
【請求項１】
ディスクに記録された情報を再生して表示装置に表示するためのディスク再生装置であって、
前記ディスクに記録された情報から映像情報を含む複数の再生用情報を復号化するデコーダ部と、
前記ディスクに記録された情報からアプリーションデータを抽出するデータ抽出部と、
前記データ抽出部によって抽出したアプリーションデータに従って所定の手順で前記再生用情報を処理して前記表示装置に出力するビデオプロセッサと、
前記ディスクの再生時に該ディスクがブックマーク機能に対応したディスクか否かを判別し、前記ブックマーク機能に対応している場合は、予め設定した一定の周期毎に現再生位置を示すブックマーク情報を生成して、それに関連するアプリケーションデータを抽出し、最新の再生位置を含む所定期間内の前記ブックマーク情報と前記関連するアプリケーションデータを前記ディスクの再生進度に応じて随時更新しながら記憶部に記憶する制御部と、を具備し、
前記制御部は、前記ディスクの再生が停止され再び再生操作が行われたときに、前記記憶部から前記再生停止前に記憶された前記ブックマーク情報とアプリケーションデータを読み出し、前記再生停止前の前記所定期間内の再生位置から続き再生を実行可能にしたことを特徴とするディスク再生装置。
【請求項２】
前記ディスクの再生停止は電源オフに伴って行われ、前記制御部は再び電源がオンされたときに前記電源オフ前の再生位置から続き再生を実行することを特徴とする請求項１記載のディスク再生装置。
【請求項３】
前記制御部は、前記記憶部に記憶した前記ブックマーク情報と前記アプリケーションデータを読み出して、前記再生停止前の最終再生位置から遡った位置から続き再生することを特徴とする請求項１記載のディスク再生装置。
【請求項４】
前記記憶部は、前記ブックマーク情報と前記アプリケーションデータを記憶するため、それぞれ個別のメモリを有することを特徴とする請求項１記載のディスク再生装置。
【請求項５】
前記制御部は、前記記憶部に前記ブックマーク情報とアプリケーションデータを記憶する際に前記ディスクの識別情報を対応付けて記憶し、
前記ディスクの再生が停止され再び再生操作が行われたときに、前記記憶部から前記識別情報を読み出し、前記ディスクが再生停止前のディスクと同一のディスクか否かを判別し、同一であると判別したときに前記続き再生を実行することを特徴とする請求項１記載のディスク再生装置。
【請求項６】
ディスクに記録された情報を再生して表示装置に表示するためのディスク再生装置であって、
前記ディスクに記録された情報から映像情報を含む複数の再生用情報を復号化するデコーダ部と、
前記ディスクに記録された情報からアプリーションデータを抽出するデータ抽出部と、
前記データ抽出部によって抽出したアプリーションデータに従って所定の手順で前記再生用情報を処理して前記表示装置に出力するビデオプロセッサと、
前記ディスクの再生時に該ディスクがブックマーク機能に対応したディスクか否かを判別し、前記ブックマーク機能に対応している場合は、前記ディスクのそれぞれのチャプタの先頭位置においてブックマーク情報とそれに関連するアプリケーションデータを記憶部に記憶する制御部と、を具備し、
前記制御部は、前記ディスクの再生中にリピート再生の指示を受けたときは、現チャプタの再生が終了した時点で前記記憶部から最新のブックマーク情報とアプリケーションデータを読み出し、当該チャプタをリピート再生することを特徴とするディスク再生装置。
【請求項７】
前記制御部は、前記ディスクの再生進度に応じて前記記憶部に前記ブックマーク情報と前記アプリケーションデータを随時更新しながら記憶することを特徴とする請求項６記載のディスク再生装置。
【請求項８】
前記記憶部は、前記ブックマーク情報と前記アプリケーションデータを記憶するため、それぞれ個別のメモリを有することを特徴とする請求項６記載のディスク再生装置。
【請求項９】
ディスクに記録された情報を再生して表示装置に表示するためのディスク再生方法であって、
前記ディスクに記録された情報から映像情報を含む複数の再生用情報を復号化し、
前記ディスクに記録された情報からアプリーションデータを抽出し、抽出した前記アプリーションデータに従って所定の手順で前記再生用情報を処理して前記表示装置に出力し、
前記ディスクの再生時に該ディスクがブックマーク機能に対応したディスクか否かを判別し、前記ブックマーク機能に対応している場合は、予め設定した一定の周期毎に現再生位置を示すブックマーク情報を生成して、それに関連するアプリケーションデータを抽出し、最新の再生位置を含む所定期間内の前記ブックマーク情報と前記関連するアプリケーションデータを前記ディスクの再生進度に応じて随時更新しながら記憶部に記憶し、
前記ディスクの再生が停止され再び再生操作が行われたときに、前記記憶部から前記再生停止前に記憶された前記ブックマーク情報とアプリケーションデータを読み出し、前記再生停止前の前記所定期間内の再生位置から続き再生を実行することを特徴とするディスク再生方法。
【請求項１０】
前記ディスクの再生停止は電源オフに伴って行われ、再び電源がオンされたときに前記電源オフ前の再生位置から続き再生を実行することを特徴とする請求項９記載のディスク再生方法。
【請求項１１】
前記記憶部に記憶した前記ブックマーク情報と前記アプリケーションデータを読み出して、前記再生停止前の最終再生位置から遡った位置から続き再生することを特徴とする請求項９記載のディスク再生方法。
【請求項１２】
前記記憶部に前記ブックマーク情報とアプリケーションデータを記憶する際に前記ディスクの識別情報を対応付けて記憶し、
前記ディスクの再生が停止され再び再生操作が行われたときに、前記記憶部から前記識別情報を読み出し、前記ディスクが再生停止前のディスクと同一のディスクか否かを判別し、同一であると判別したときに前記続き再生を実行することを特徴とする請求項９記載のディスク再生方法。
【請求項１３】
ディスクに記録された情報を再生して表示装置に表示するためのディスク再生方法であって、
前記ディスクに記録された情報から映像情報を含む複数の再生用情報を復号化し、
前記ディスクに記録された情報からアプリーションデータを抽出し、抽出したアプリーションデータに従って所定の手順で前記再生用情報を処理して前記表示装置に出力し、
前記ディスクの再生時に該ディスク記がブックマーク機能に対応したディスクか否かを判別し、前記ブックマーク機能に対応している場合は、前記ディスクのそれぞれのチャプタの先頭位置においてブックマーク情報とそれに関連するアプリケーションデータを記憶部に記憶し、
前記ディスクの再生中にリピート再生の指示を受けたときは、現チャプタの再生が終了した時点で前記記憶部から最新のブックマーク情報とアプリケーションデータを読み出し、当該チャプタをリピート再生することを特徴とするディスク再生方法。
【請求項１４】
前記ディスクの再生進度に応じて前記記憶部に前記ブックマーク情報と前記アプリケーションデータを随時更新しながら記憶することを特徴とする請求項１３記載のディスク再生方法。
【発明の詳細な説明】
【技術分野】
【０００１】
本発明は、光ディスクであるＤＶＤ（Digital Versatile Disk）、特にＨＤ  ＤＶＤ（High Definition DVD）等の次世代光ディスクに記録された情報を再生するディスク再生装置に係り、ブックマーク機能を利用して続き再生及びリピート再生を可能にしたディスク再生装置及びディスク再生方法に関する。
【背景技術】
【０００２】
近年、ＤＶＤ−Ｖｉｄｅｏ規格に準拠した光ディスク（ＤＶＤ）に対して音声信号や映像信号等の情報を記録し、それを再生するディスク再生装置が普及している。またディスク再生装置は、家庭用だけでなく車載用にも採用されており、その使用環境は様々である。
【０００３】
さらに、近年では大画面・高解像度の家庭用テレビの普及に伴い、このような大画面テレビに映し出す映像コンテンツの供給源として、高解像度映像を記録した次世代光ディスクが開発され、市場での販売が開始されている。このような次世代光ディスクの一例としてＨＤ  ＤＶＤがあげられる。ＨＤ  ＤＶＤは、基本的には従来のＤＶＤを元に映像信号の高解像度化、音声信号の高品質化を図って拡張されたものである。
【０００４】
一方、従来のディスク再生装置では、ブックマーク機能を搭載したものがある。ブックマーク機能は、ディスク再生を行う場合にユーザが設定した任意の位置から映像及び音声を再生する機能であり、例えば再生途中で電源をオフするような場合に、再生を停止した位置でブックマークを設定し、再び電源をオンしたときにブックマークが示す位置から続けて再生を開始するようにしたもので、所謂しおりを付与するものである。また、従来のディスク再生装置では、ブックマーク機能を用いて続き再生を行うほかに、特定の場面を繰り返して再生するリピート再生機能を有するものもある。
【０００５】
ところで、ＨＤ  ＤＶＤでは、本編の主映像のほかにコマーシャル映像等の副映像や、字幕映像、メニュー画像等が含まれており、多くのディスクが特典映像等を充実させて記録する傾向にある。また、このようなＨＤ ＤＶＤを再生する場合、ディスク再生装置は、ディスクに記録されたアプリケーションデータをもとに指定された再生手順に従って再生するようにしているため、上述した続き再生やリピート再生ができないディスクもある。
【０００６】
また、車載用のディスク再生装置では、ドライブの途中で車を降りることが多いため、ディスクの再生途中で電源をオフし、再び乗車して電源をオンするという状況が頻繁に起こりうる。したがってユーザは、電源オン時に再生を中断した箇所から引き続き再生したいという要望や、前に視聴したシーンをもう一度繰り返して再生したいという要望が多分にある。しかしながら、ＨＤ  ＤＶＤのような世代光ディスクでは、それができないという不具合がある。
【０００７】
特許文献１には、ＨＤ  ＤＶＤの再生に適したディスク再生装置の一例が記載されている。この例は、操作性の向上を図ったものであるが、続き再生やリピート再生を行うための具体的な方法については、記載されていない。
【特許文献１】特開２００７−１７２７６３号公報
【発明の開示】
【発明が解決しようとする課題】
【０００８】
次世代光ディスクでは、予め指定された再生手順に従って再生するようにしているため、続き再生やリピート再生ができない場合があり、車載用のディスク再生装置では、ユーザの要望を十分に満たすことができないという不具合がある。
【０００９】
本発明はこのような事情に鑑みたものであり、ブックマーク機能を用いて続き再生やリピート再生を行うことができるディスク再生装置及びディスク再生方法を提供することを目的とする。
【課題を解決するための手段】
【００１０】
請求項１記載の本発明は、ディスクに記録された情報を再生して表示装置に表示するためのディスク再生装置であって、前記ディスクに記録された情報から映像情報を含む複数の再生用情報を復号化するデコーダ部と、前記ディスクに記録された情報からアプリーションデータを抽出するデータ抽出部と、前記データ抽出部によって抽出したアプリーションデータに従って所定の手順で前記再生用情報を処理して前記表示装置に出力するビデオプロセッサと、前記ディスクの再生時に該ディスクがブックマーク機能に対応したディスクか否かを判別し、前記ブックマーク機能に対応している場合は、予め設定した一定の周期毎に現再生位置を示すブックマーク情報を生成して、それに関連するアプリケーションデータを抽出し、最新の再生位置を含む所定期間内の前記ブックマーク情報と前記関連するアプリケーションデータを前記ディスクの再生進度に応じて随時更新しながら記憶部に記憶する制御部と、を具備し、前記制御部は、前記ディスクの再生が停止され再び再生操作が行われたときに、前記記憶部から前記再生停止前に記憶された前記ブックマーク情報とアプリケーションデータを読み出し、前記再生停止前の前記所定期間内の再生位置から続き再生を実行可能にしたことを特徴とする。
【００１１】
また、請求項６記載の本発明は、ディスクに記録された情報を再生して表示装置に表示するためのディスク再生装置であって、前記ディスクに記録された情報から映像情報を含む複数の再生用情報を復号化するデコーダ部と、前記ディスクに記録された情報からアプリーションデータを抽出するデータ抽出部と、前記データ抽出部によって抽出したアプリーションデータに従って所定の手順で前記再生用情報を処理して前記表示装置に出力するビデオプロセッサと、前記ディスクの再生時に該ディスクがブックマーク機能に対応したディスクか否かを判別し、前記ブックマーク機能に対応している場合は、前記ディスクのそれぞれのチャプタの先頭位置においてブックマーク情報とそれに関連するアプリケーションデータを記憶部に記憶する制御部と、を具備し、前記制御部は、前記ディスクの再生中にリピート再生の指示を受けたときは、現チャプタの再生が終了した時点で前記記憶部から最新のブックマーク情報とアプリケーションデータを読み出し、当該チャプタをリピート再生することを特徴とする。
【００１２】
また、請求項９記載の本発明は、ディスクに記録された情報を再生して表示装置に表示するためのディスク再生方法であって、前記ディスクに記録された情報から映像情報を含む複数の再生用情報を復号化し、前記ディスクに記録された情報からアプリーションデータを抽出し、抽出した前記アプリーションデータに従って所定の手順で前記再生用情報を処理して前記表示装置に出力し、前記ディスクの再生時に該ディスクがブックマーク機能に対応したディスクか否かを判別し、前記ブックマーク機能に対応している場合は、予め設定した一定の周期毎に現再生位置を示すブックマーク情報を生成して、それに関連するアプリケーションデータを抽出し、最新の再生位置を含む所定期間内の前記ブックマーク情報と前記関連するアプリケーションデータを前記ディスクの再生進度に応じて随時更新しながら記憶部に記憶し、前記ディスクの再生が停止され再び再生操作が行われたときに、前記記憶部から前記再生停止前に記憶された前記ブックマーク情報とアプリケーションデータを読み出し、前記再生停止前の前記所定期間内の再生位置から続き再生を実行することを特徴とする。
【００１３】
さらに、請求項１３記載の本発明は、ディスクに記録された情報を再生して表示装置に表示するためのディスク再生方法であって、前記ディスクに記録された情報から映像情報を含む複数の再生用情報を復号化し、前記ディスクに記録された情報からアプリケーションデータを抽出し、抽出したアプリケーションデータに従って所定の手順で前記再生用情報を処理して前記表示装置に出力し、前記ディスクの再生時に該ディスクがブックマーク機能に対応したディスクか否かを判別し、前記ブックマーク機能に対応している場合は、前記ディスクのそれぞれのチャプタの先頭位置においてブックマーク情報とそれに関連するアプリケーションデータを記憶部に記憶し、前記ディスクの再生中にリピート再生の指示を受けたときは、現チャプタの再生が終了した時点で前記記憶部から最新のブックマーク情報とアプリケーションデータを読み出し、当該チャプタをリピート再生することを特徴とする。
【発明の効果】
【００１４】
本発明のディスク再生装置では、ブックマーク機能に対応しているディスクか否かを判断して、ブックマーク機能を実行することにより、続き再生、あるいはリピート再生を行うことができる。
【発明を実施するための最良の形態】
【００１５】
以下、この発明のディスク再生装置の一実施形態について図面を参照して説明する。
【実施例１】
【００１６】
図１は本発明の一実施形態に係るディスク再生装置の全体構成を示すブロック図である。図１において、１１はディスク型記録媒体である光ディスクである。本発明ではＨＤ  ＤＶＤ等の大画面化・高解像度化に即した光ディスクを想定しており、以下の説明では、単にディスク１１と呼ぶ。
【００１７】
ディスク１１は、スピンドルモータ１２によって一定の線速度で回転される。ディスク１１からの情報の再生は、光ピックアップ１３によって行われ、ディスク１１にレーザ光を照射し、その反射光によってディスク１１に記録されているデータを読み出す。
【００１８】
光ピックアップ１３は、送りモータ１４によってディスク１１の半径方向に移動制御され、再生位置を決定する。１５はサーボ制御部であり、後述するシステムコントローラ３１等から供給される制御信号に応じて、スピンドルモータ１２の回転を制御するとともに、光ピックアップ１３のトラッキング制御、フォーカス制御、及び送りモータ１４の駆動制御を行う。
【００１９】
１６はＲＦアンプであり、光ピックアップ１３によって読み出したデータに対応するＲＦ信号を増幅して次段に伝達する。又、このＲＦアンプ１６は、ＲＦ信号からフォーカス制御用の信号及びトラッキング制御用の信号を分離して、これらの制御信号をサーボ制御部１５に送る。
【００２０】
サーボ制御部１５は、フォーカス制御用の信号に基づいて光ピックアップ１３のアクチュエータ(図示せず)を制御し、光ビームが、ディスク１１上に常時ジャストフォーカスとなるように制御する。また、トラッキング制御用の信号に基づいてアクチュエーを制御し、光ピックアップ１３のトラッキング方向の移動を制御する。これにより、データの再生を正確に行うようにしている。
【００２１】
１７はデジタル信号処理部であり、ＲＦアンプ１６からのＲＦ信号をデジタル化し、デジタル化された信号の復調処理と誤り訂正処理を行い、デジタル信号処理部１７による信号処理の過程で得られたデータをＲＡＭ１８に格納する。またデジタル信号から制御信号が分離され、分離された制御信号がサーボ制御部１５及び後述するシステムコントローラ３１に送られる。
【００２２】
１９はプレゼンテーションエンジンであり、ストリーム分離部２０と、各種のデコーダ部を含む。ストリーム分離部２０は、デジタル信号処理部１７から出力された信号を、オーディオビットストリーム、メインピクチャビットストリーム及びサブピクチャビットストリームに分離しデコーダ部に供給する。メインピクチャビットストリームはＭＰＥＧ２のフォーマットに従って圧縮された信号であり、この中には映像情報が含まれる。また、サブピクチャビットストリームはランレングス圧縮方式に従って圧縮された信号であり、この中には字幕情報等が含まれる。
【００２３】
２１は、オーディオデコーダ部であり、ストリーム分離部２０で分離されたオーディオビットストリームを復号化処理して、デジタルオーディオ信号を出力する。オーディオデコーダ部２１から出力されたデジタルオーディオ信号は、Ｄ／Ａ変換器及びパワーアンプを含む音声出力部２２を介してスピーカ２３から出力される。
【００２４】
２４はビデオデコーダ部であり、ストリーム分離部１９で分離されたメインピクチャビットストリームを復号化処理する。また２５はサブビデオデコーダ部である。２６はサブピクチャデコーダ部であり、ストリーム分離部１９で分離されたサブピクチャビットストリームを復号化処理する。
【００２５】
さらに２７はビデオプロセッサであり、ビデオデコーダ部２４から出力されたメインピクチャ（主映像）と、サブビデオデコーダ部２５からの副映像と、サブピクチャデコーダ部２５から出力されたサブピクチャ（字幕映像等）をデジタル合成する。主映像、副映像、字幕映像等は再生用情報である。
【００２６】
また、２８はナビゲーションマネージャであり、デジタル信号処理部１７の出力から、ディスク１１に記録されたアプリケーションデータを読み取るアプリケーションデータ抽出部を有する。アプリケーションデータは、主映像に対してどのタイミングで副映像や字幕映像等を表示するか、どの位置に表示するかといったプレゼンテーションの実行を制御するデータである。
【００２７】
プレゼンテーションエンジン１９は、アプリケーションデータ及びユーザ操作に応答して制御される。ビデオプロセッサ２７とナビゲーションマネージャ２８は信号処理部を構成し、アプリケーションデータに従う再生シーケンスで各デコーダ部２４〜２６からの再生用情報を合成処理して出力する。
【００２８】
２９はビデオエンコーダであり、ビデオプロセッサ２７から出力された合成データを表示用のビデオ信号に変換する。このビデオエンコーダ２９から出力されたビデオ信号は、液晶パネルなどの表示装置３０に供給され、画像が表示される。
【００２９】
３２は、操作部であり、例えば表示装置３０の周辺に設けたキー入力部や、表示装置３０と一体のタッチパネル、或いはリモートコントローラ（リモコン）である。操作部３２は、再生、停止、早送り、ボリューム設定などの各種基本操作のほかに、メニュー表示や、メニュー選択、或いはリピート再生を指示するリピートキー等を有する。
【００３０】
システムコントローラ３１は、ＣＰＵ３１１及びＲＯＭ３１２等を含み、操作部３２からの各種の指示信号に応答してディスク再生装置の各部の動作を制御する。またＲＯＭ３１２に格納されたプログラムに従ってブックマーク機能を実行する。
【００３１】
また、システムコントローラ３１には記憶部３３が接続されている。記憶部３３は、第１のメモリ３４及び第２メモリ３５を含み、ブックマーク機能の実行時に、デジタル信号処理部１７からの情報をもとにディスク１１の識別情報及び再生位置情報（ブックマーク情報）を第１メモリ３４に記憶し、ナビゲーションマネージャ２８からのアプリケーションデータを第２のメモリ３５に記憶する。
【００３２】
またシステムコントローラ３１は、デジタル信号処理部１７からの情報をもとに、ディスク１１がブックマーク機能に対応したものか否かを判断し、ブックマーク機能に対応したディスクである場合は、自動的にブックマーク機能を実行する。
【００３３】
次に本発明の一実施形態に係るディスク再生装置の動作について説明する。本発明はブックマーク機能を用いた続き再生や、リピート再生を行うものであるが、その前にブックマーク機能について述べる。
【００３４】
ブックマーク機能は、例えば再生途中に電源をオフして再生を一時的に停止するような場合に、再生停止時点での再生位置の情報を記憶部３３に記憶してブックマークを設定し、再び電源をオンしたときにブックマークを設定した位置から続けて再生を開始するようにしたものである。
【００３５】
図２，図３は、ブックマーク機能を用いて続き再生を行う場合の動作を説明する説明図である。図２において、横軸は映像コンテンツの再生進度を示し、コンテンツの１タイトルをチャプタ１からチャプタ９９で表している。ＨＤ  ＤＶＤに限らずＤＶＤ（例えば映画用ディスク）では、通常、本編のコンテンツに対して１つのタイトルを付し、１つのタイトルを複数のチャプタに区切っている。
【００３６】
電源がオンされ、ディスク１１の再生が開始されると、システムコントローラ３１は、ディスク１１がブックマーク機能を実行するに必要なデータを有しているか否か、つまりブックマーク機能に対応したディスクか否かを判断する。ブックマーク機能に対応しているディスクであると判断すると、システムコントローラ３１は、自動的にブックマーク機能のプログラムを実行し、周期的（例えば１秒毎）に現再生位置を示すブックマーク情報を記憶部３３の第１のメモリ３４に記憶し、ブックマークを設定する。また、ブックマーク情報の記憶に合せて、関連するアプリケーションデータを第２のメモリ３５に記憶する。
【００３７】
図２において、Ｃ１，Ｃ２…Ｃｎは、１秒毎にブックマークを設定し、Ｃ１，Ｃ２…Ｃｎの位置でそれぞれブックマーク情報とアプリケーションデータが記憶されたことを示している。記憶部３３に記憶されたブックマーク情報とアプリケーションデータは、順次、再生進度に応じて上書きされ、最新のブックマーク情報とその少し前のブックマーク情報のみが更新記憶される。これにより、記憶部３３の記憶容量を減らすことができる。尚、ブックマーク情報とアプリケーションデータを記憶する時間間隔は１秒毎に限らず、２秒毎、３秒毎等の任意の時間間隔に設定することができる。
【００３８】
そして、例えばチャプタ２を再生している途中のタイミングｔ１で電源オフの操作が行われたとすると、その時点（Ｃｎ）でのブックマーク情報が記憶部３３に保持される。またこのとき、タイミングｔ１におけるアプリケーションデータが第２のメモリ３５に保持される。
【００３９】
図２の表示画像４０は、タイミングｔ１における再生画像の一例を示し、映画の動画（主映像）４１と、監督の説明映像（副画像）４２と、ｗｅｂページ画像４３、及び新作リスト等の静止画像４４が同時に表示されている。動画４１に対して、監督の説明映像４２、ｗｅｂページ画像４３、及び静止画像４４等をどのようなタイミングで、どのような画面サイズで、どの位置に表示するかは、アプリケーションデータによって決まる。
【００４０】
尚、記憶部３３の第１のメモリ３４は、頻繁に書き込みが行われるため、ＳＲＡＭ等のバッテリーバックアップＲＡＭが適している。またアプリケーションデータは、それほど頻繁に書き込まれるものではないので、第２のメモリ３５はＥＰＲＯＭ等が適している。こうして、電源がオフされると、オフする直前のブックマーク情報とアプリケーションデータが、記憶部３３に保持される。
【００４１】
次に図３を参照して、再び電源がオンされた時の続き再生の動作を説明する。図３おいて、横軸は映像コンテンツの再生進度を示し、タイミングｔ２は電源オフ時の再生停止位置に相当する。タイミングｔ２で再び電源がオンされると、記憶部３３からブックマーク情報とアプリケーションデータが読み出される。
【００４２】
こうして電源オン時には、記憶部３３に記憶されたブックマーク情報に従って電源オフ時に中断した最終再生位置から再生が開始される。また読み出されたアプリケーションデータによって、動画４１、監督の説明映像４２、ｗｅｂページ画像４３、及び静止画像４４等が適切なタイミングで表示される。
【００４３】
図３において、ａ１，ａ２，ａ３は、アプリケーションデータの一例を示しており、どのタイミングでナビゲーションのプログラムが起動するかを示したものである。ａ１は、サブビデオ再生のアプリケーションデータであり、ａ２は、ｗｅｂページ表示のアプリケーションデータであり、ａ３は、静止画スライドショーのアプリケーションデータであり、ディスク１１には、これらアプリケーションデータが所定のタイミングで記録されている。
【００４４】
システムコントローラ３１は、電源がオンされたタイミングｔ２で記憶部３３からアプリケーションデータａ１，ａ２，ａ３を読み出すことによって、タイミングｔ２までのプログラムが実行されたものと看做して処理を進める。したがって、電源オン時には、表示画像４０で示すように、再生を中断した位置から続き再生が行われ、映画の動画４１と、監督の説明映像４２と、ｗｅｂページ画像４３、及び静止画像４４が表示される。
【００４５】
尚、ディスクの再生位置を示すブックマーク情報としては、映像コンテンツの再生経過時間の情報や、オーディオストリームなどが用いられるが、これらに限らず再生位置を特定できる情報であればディスクに記録された他の情報を用いることもできる。
【００４６】
また、電源オン時の再生状態にあっては、所定の時間間隔C１，Ｃ２，Ｃ３・・・でブックマークを設定するようにし、順次最新の情報を記憶部３３に記憶ようにしているが、ディスクの再生が終了した時点で記憶部３３に記憶したデータは、消去される。
【００４７】
また電源をオフし、その後再び電源をオンして再生を行う場合には、同じディスクがセットされているかどうかを判断した上で、続き再生を行うようにすると良い。つまり途中で再生を停止しディスクを取り出して変更したような場合は、記憶部３３に記憶されたブックマーク情報は何ら意味を持たなくなる。そのため、ディスク１１の識別情報を読み取り、識別情報とブックマーク情報を対応付けて記憶しておき、再び電源をオンして再生状態に入ったときに、識別情報を参照して同じディスクがセットされたかどうかを判断した上で、続き再生を行うようにすると良い。
【００４８】
また、記憶部３３にブックマーク情報を記憶する場合、例えばＣｎの位置のブックマーク情報と、その少し前の位置（Ｃｎ−１、Ｃｎ−２）のブックマーク情報を保持しておき、続き再生する際にＣｎよりも少し前の位置のブックマーク情報を読み出して再生を開始するようにすれば、電源オフ時点の最終再生位置から少し遡って再生することができる。これにより、ストーリーを再確認することができる。
【００４９】
次に図４、図５を参照してリピート再生を行う場合の動作を説明する。図４において、横軸は映像コンテンツの再生進度を示したもので、コンテンツの１タイトルをチャプタ１からチャプタ９９で表している。
【００５０】
電源がオンされ、ディスク１１の再生が開始されると、システムコントローラ３１は、ディスク１１がブックマーク機能を実行するに必要なデータを有しているか否かを判断する。ブックマーク機能に対応しているディスクであると判断すると、システムコントローラ３１は、ブックマーク機能のプログラムを実行し、チャプタの先頭位置で再生位置情報（ブックマーク情報）を記憶部３３の第１のメモリ３４に記憶し、ブックマークを設定する。また同時に各チャプタの先頭位置でのアプリケーションデータを第２のメモリ３５に記憶する。
【００５１】
図４において、Ｃ１，Ｃ２は、チャプタ１とチャプタ２の先頭位置でブックマークを設定し、Ｃ１，Ｃ２…の順にブックマーク情報が記憶されたことを示している。第１のメモリ３４に記憶されたブックマーク情報は順次更新され、最新のブックマーク情報のみが記憶される。また第２のメモリ３５に記憶されるアプリケーションデータも順次更新される。
【００５２】
図４の表示画像４０は、チャプタ２の先頭位置での再生画像の一例を示し、映画の動画４１と、監督の説明映像４２と、ｗｅｂページ画像４３、及び新作リスト等の静止画像４４が同時に表示されている。動画４１に対して、監督の説明映像４２、ｗｅｂページ画像４３、及び静止画像４４等をどのようなタイミングで、どのような画面サイズで、どの位置に表示するかは、アプリケーションデータによって決まる。
【００５３】
そして、例えばチャプタ２を再生している途中のタイミングｔ１でユーザが操作部３２を操作してリピートキーが押されると、システムコントローラ３１は、リピートオン状態に設定する。
【００５４】
この結果、チャプタ２の最終位置（タイミングｔ２で示す）まで再生されると、システムコントローラ３１は、記憶部３３に記憶した最新のブックマーク情報とアプリケーションデータを読み出し、チャプタ２の先頭位置から再生する。
【００５５】
図５は、リピート再生の様子を示している。図５おいて、横軸は映像コンテンツの再生進度を示し、チャプタ２の最終位置まで再生されると、再びチャプタ２の先頭位置に戻って繰り返し再生が行われる。したがってリピート再生時には、記憶部３３に記憶されたブックマーク情報にしたがってリピートキーが押されたときのチャプタを繰り返し再生する。
【００５６】
図５の表示画像４０は、リピート再生時の表示画像の一例を示しており、映画の動画４１と、監督の説明映像４２と、ｗｅｂページ画像４３、及び静止画像４４が表示され、リピート再生を実行することができる。
【００５７】
また、リピート解除の操作がなされると、システムコントローラ３１は、現チャプタ２の再生を終了したあと次のチャプタ３の再生に移り、チャプタ３の先頭位置でブックマーク情報及びアプリケーションデータを記憶部３３に記憶し、更新する。またディスクの再生が全て終了した時点では、記憶部３３に記憶したデータは、消去される。
【００５８】
このように本発明の実施形態では、ＨＤ  ＤＶＤのような次世代ＤＶＤを再生する場合にも続き再生やリピート再生を行うことができ、しかも本編の映像以外に複数の画像を表示する場合であってもアプリケーションデータにしたがって、正確に表示することができる。特に車載用機器のようにドライブの途中で乗降を繰り返す場合は、有効である。
【００５９】
尚、以上述べた実施形態に限らず、幾つかの変形例が考えられる。例えば、操作部３１に通常の再生用のキーと、続き再生用のキーを設けておき、続き再生用のキーが操作されたときに続き再生を実行するようにし、通常の再生キーが操作されたときは最初から再生を実行するようにしても良い。つまりこの例では、電源をオフしてから次にオンするまでかなりの時間が経過しているような場合は、ストーリーの再確認のため最初から再生したいという欲求があるため、そのような場合に適している。
【００６０】
また、記憶部３３のメモリ３４およびメモリ３５をそれぞれ２つの記憶領域に区分し、一方の記憶領域には、図２で示す所定時間毎（ｃ１，Ｃ２…Ｃｎ）にブックマーク情報及びアプリケーションデータを記憶し、他方の記憶領域には図４で示す各チャプタの先頭位置毎にブックマーク情報及びアプリケーションデータを記憶するようにしても良い。これにより、続き再生時は一方の記憶領域に記憶した情報を読み出し、リピート再生時は他方の記憶領域に記憶した情報を読み出すことにより、続き再生とリピート再生の両方を実行することができる。
【００６１】
尚、以上の説明では、電源のオン、オフに応答して続き再生を行う場合を説明したが、ユーザが再生の途中で停止操作を行い、その後再生の開始操作を行った場合にも続き再生を実行できるようにしても良い。
【００６２】
また、以上の説明ではＨＤ  ＤＶＤの再生について述べたが、これに限らず、Ｂｌｕ−Ｒａｙディスクの再生においても適用することができる。また以上の説明に限定されることなく、特許請求の範囲を逸脱しない範囲内で種々の変形が可能である。
【図面の簡単な説明】
【００６３】
【図１】本発明の一実施形態に係るディスク再生装置の構成を示すブロック図。
【図２】同実施形態に係るディスク再生装置の続き再生を行う前の動作を説明する説明図。
【図３】同実施形態に係るディスク再生装置の続き再生の動作を説明する説明図。
【図４】同実施形態に係るディスク再生装置のリピート再生を行う前の動作を説明する説明図。
【図５】同実施形態に係るディスク再生装置のリピート再生の動作を説明する説明図。
【符号の説明】
【００６４】
１１…ディスク
１２…モータ
１３…光ピックアップ
１４…送りモータ
１５…サーボ制御部
１６…ＲＦアンプ
１７…デジタル信号処理部
１８…ＲＡＭ
１９…プレゼンテーションエンジン
２０…ストリーム分離部
２１…オーディオデコーダ部
２４…ビデオデコーダ部
２５…サブビデオデコーダ部
２６…サブピクチャデコーダ部
２７…ヒデオプロセッサ
２８…ナビゲーションマネージャ
２９…ビデオエンコーダ
３０…表示装置
３１…システムコントローラ
３２…操作部
３３…記憶部
３４…第１のメモリ
３５…第２のメモリ
【図１】
0005095383.tif 000002
【図２】
0005095383.tif 000003
【図３】
0005095383.tif 000004
【図４】
0005095383.tif 000005
【図５】
0005095383.tif 000006